【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
通常遊技状態と、
前記通常遊技状態よりも有利な特別遊技状態と、
前記通常遊技状態よりも有利且つ、前記特別遊技状態とは状態が異なる特定遊技状態と、
前記特別遊技状態中に遊技媒体の増加数を計数する計数手段と、
前記特別遊技状態から前記特定遊技状態に変更させる遊技状態変更手段と、
を具備し、
前記遊技状態変更手段は、前記計数手段が計数する前記特別遊技状態中の増加数が所定数に達したことを契機に、前記特別遊技状態から前記特定遊技状態に変更させ、
前記計数手段は、前記特別遊技状態から変更した前記特定遊技状態中に、遊技媒体の増加数を、前記特別遊技状態中に計数された増加数から継続して計数し、
前記遊技状態変更手段は、前記特定遊技状態の終了条件が成立したことを契機に、前記特別遊技状態に変更し、
前記計数手段は、前記特定遊技状態から変更した前記特別遊技状態中に遊技媒体の増加数を前記特定遊技状態中に計数された増加数から継続して計数し、
前記状態変更手段は、前記特定遊技状態から変更した前記特別遊技状態中に、前記計数手段が継続して計数した遊技媒体の増加数が前記所定数より大きい新たな所定数に達したことを契機に、前記特別遊技状態から前記特定遊技状態に変更すること、
を特徴とする遊技機。
【請求項２】
請求項１に記載の遊技機において、
前記新たな所定数を決定する決定手段、
を具備することを特徴とする遊技機。
【請求項３】
通常遊技状態と、
前記通常遊技状態よりも有利な特別遊技状態と、
前記通常遊技状態よりも有利且つ、前記特別遊技状態とは状態が異なる特定遊技状態と、
前記特別遊技状態中に遊技媒体の増加数を計数する計数手段と、
前記特別遊技状態から前記特定遊技状態に変更させる遊技状態変更手段と、
を具備し、
前記遊技状態変更手段は、前記計数手段が計数する前記特別遊技状態中の増加数が所定数に達したことを契機に、前記特別遊技状態から前記特定遊技状態に変更させ、
前記計数手段は、前記特別遊技状態から変更した前記特定遊技状態中に、遊技媒体の新たな増加数を計数し、
前記遊技状態変更手段は、前記特定遊技状態の終了条件が成立したことを契機に、前記特別遊技状態に変更し、
前記計数手段は、前記特定遊技状態から変更した前記特別遊技状態中に遊技媒体の増加数を前記特定遊技状態中に計数された新たな増加数から継続して計数し、
前記状態変更手段は、前記特定遊技状態から変更した前記特別遊技状態中に、前記計数手段が継続して計数した前記新たな増加数が所定数に達したことを契機に、前記特別遊技状態から前記特定遊技状態に変更すること、
を特徴とする遊技機。
【請求項４】
請求項３に記載の遊技機において、
前記所定数を決定する決定手段、
を具備することを特徴とする遊技機。
【請求項５】
通常遊技状態と、
前記通常遊技状態よりも有利な特別遊技状態と、
前記通常遊技状態よりも有利且つ、前記特別遊技状態とは状態が異なる特定遊技状態と、
前記特別遊技状態中に遊技媒体の増加数を計数する計数手段と、
前記特別遊技状態から前記特定遊技状態に変更させる遊技状態変更手段と、
所定数を決定する決定手段と、
を具備し、
前記遊技状態変更手段は、前記計数手段が計数する前記特別遊技状態中の増加数が所定数に達したことを契機に、前記特別遊技状態から前記特定遊技状態に変更させ、
前記計数手段は、前記特別遊技状態から変更した前記特定遊技状態中に、遊技媒体の新たな増加数を計数し、
前記遊技状態変更手段は、前記特定遊技状態の終了条件が成立したことを契機に、前記特別遊技状態に変更し、
前記決定手段は、前記増加数が前記所定数に達したことを契機に、該所定数未満である新たな所定数を決定し、
前記計数手段は、前記特定遊技状態から変更した前記特別遊技状態中に遊技媒体の増加数を前記特定遊技状態中に計数された新たな増加数から継続して計数し、
前記状態変更手段は、前記特定遊技状態から変更した前記特別遊技状態中に、前記計数手段が継続して計数した前記新たな増加数が前記新たな所定数に達したことを契機に、前記特別遊技状態から前記特定遊技状態に変更すること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成するために、通常遊技状態と、前記通常遊技状態よりも有利な特別遊技状態と、前記通常遊技状態よりも有利且つ、前記特別遊技状態とは状態が異なる特定遊技状態と、前記特別遊技状態中に遊技媒体の増加数を計数する計数手段と、前記特別遊技状態から前記特定遊技状態に変更させる遊技状態変更手段と、を具備し、前記遊技状態変更手段は、前記計数手段が計数する前記特別遊技状態中の増加数が所定数に達したことを契機に、前記特別遊技状態から前記特定遊技状態に変更させ、前記計数手段は、前記特別遊技状態から変更した前記特定遊技状態中に、遊技媒体の増加数を、前記特別遊技状態中に計数された増加数から継続して計数し、前記遊技状態変更手段は、前記特定遊技状態の終了条件が成立したことを契機に、前記特別遊技状態に変更し、前記計数手段は、前記特定遊技状態から変更した前記特別遊技状態中に遊技媒体の増加数を前記特定遊技状態中に計数された増加数から継続して計数し、前記状態変更手段は、前記特定遊技状態から変更した前記特別遊技状態中に、前記計数手段が継続して計数した遊技媒体の増加数が前記所定数より大きい新たな所定数に達したことを契機に、前記特別遊技状態から前記特定遊技状態に変更することを特徴とする。
【手続補正３】
【補正対象書類名】明細書
【補正対象項目名】００１４
【補正方法】変更
【補正の内容】
【００１４】
請求項２に係る本発明の遊技機は、請求項１に記載の遊技機において、前記新たな所定数を決定する決定手段、を具備することを特徴とする。
【手続補正４】
【補正対象書類名】明細書
【補正対象項目名】００１５
【補正方法】変更
【補正の内容】
【００１５】
請求項３に係る本発明の遊技機は、通常遊技状態と、前記通常遊技状態よりも有利な特別遊技状態と、前記通常遊技状態よりも有利且つ、前記特別遊技状態とは状態が異なる特定遊技状態と、前記特別遊技状態中に遊技媒体の増加数を計数する計数手段と、前記特別遊技状態から前記特定遊技状態に変更させる遊技状態変更手段と、を具備し、前記遊技状態変更手段は、前記計数手段が計数する前記特別遊技状態中の増加数が所定数に達したことを契機に、前記特別遊技状態から前記特定遊技状態に変更させ、前記計数手段は、前記特別遊技状態から変更した前記特定遊技状態中に、遊技媒体の新たな増加数を計数し、前記遊技状態変更手段は、前記特定遊技状態の終了条件が成立したことを契機に、前記特別遊技状態に変更し、前記計数手段は、前記特定遊技状態から変更した前記特別遊技状態中に遊技媒体の増加数を前記特定遊技状態中に計数された新たな増加数から継続して計数し、前記状態変更手段は、前記特定遊技状態から変更した前記特別遊技状態中に、前記計数手段が継続して計数した前記新たな増加数が所定数に達したことを契機に、前記特別遊技状態から前記特定遊技状態に変更することを特徴とする。
【手続補正５】
【補正対象書類名】明細書
【補正対象項目名】００１６
【補正方法】変更
【補正の内容】
【００１６】
請求項４に係る本発明の遊技機は、請求項３に記載の遊技機において、前記所定数を決定する決定手段、を具備することを特徴とする。
【手続補正６】
【補正対象書類名】明細書
【補正対象項目名】００１７
【補正方法】変更
【補正の内容】
【００１７】
請求項５に係る本発明の遊技機は、通常遊技状態と、前記通常遊技状態よりも有利な特別遊技状態と、前記通常遊技状態よりも有利且つ、前記特別遊技状態とは状態が異なる特定遊技状態と、前記特別遊技状態中に遊技媒体の増加数を計数する計数手段と、前記特別遊技状態から前記特定遊技状態に変更させる遊技状態変更手段と、所定数を決定する決定手段と、を具備し、前記遊技状態変更手段は、前記計数手段が計数する前記特別遊技状態中の増加数が所定数に達したことを契機に、前記特別遊技状態から前記特定遊技状態に変更させ、前記計数手段は、前記特別遊技状態から変更した前記特定遊技状態中に、遊技媒体の新たな増加数を計数し、前記遊技状態変更手段は、前記特定遊技状態の終了条件が成立したことを契機に、前記特別遊技状態に変更し、前記決定手段は、前記増加数が前記所定数に達したことを契機に、該所定数未満である新たな所定数を決定し、前記計数手段は、前記特定遊技状態から変更した前記特別遊技状態中に遊技媒体の増加数を前記特定遊技状態中に計数された新たな増加数から継続して計数し、前記状態変更手段は、前記特定遊技状態から変更した前記特別遊技状態中に、前記計数手段が継続して計数した前記新たな増加数が前記新たな所定数に達したことを契機に、前記特別遊技状態から前記特定遊技状態に変更することを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】